(57)【要約】【課題】サーバ装置と、より高いセキュリティを確保した方式で当該サーバ装置と接続することができるクライアント端末装置と、を備えるクライアント・サーバシステムを提供する。【解決手段】クライアント・サーバシステム１において、サーバ装置１１に、接続情報１１４３ａ１を記憶するデータ記憶領域１１４３ａと、リーダ／ライタ部１１５を介して、当該記憶された接続情報１１４３ａ１を、装着されたメモリカードＭに記録する記録制御プログラム１１４３ｂ１を実行したＣＰＵ１１４１と、を備え、クライアント端末装置１３に、接続情報１１４３ａ１が記録されたメモリカードＭが装着された場合にのみ、メモリカードＭに記録された接続情報１１４３ａ１に基づいて、クライアント端末装置１３を、サーバ装置１１と無線ネットワークＮを介して接続させる接続制御プログラム１３６３ｂ１を実行したＣＰＵ１３６１を備えるよう構成した。【選択図】図１
2007133661.tif 000002
【特許請求の範囲】
【請求項１】
コンテンツを送信するコンテンツ送信手段を有するサーバ装置と、当該サーバ装置と無線ネットワークを介して接続され、前記コンテンツ送信手段により送信されたコンテンツを受信するコンテンツ受信手段と、前記コンテンツ受信手段により受信されたコンテンツを出力手段に出力させる出力制御手段と、を有するクライアント端末装置と、を備えるクライアント・サーバシステムにおいて、
前記クライアント端末装置は、
当該クライアント端末装置が、前記サーバ装置と前記無線ネットワークを介して接続するための接続情報が記録された可搬型記録媒体が装着された場合にのみ、当該可搬型記録媒体に記録された接続情報に基づいて、当該クライアント端末装置を、前記サーバ装置と前記無線ネットワークを介して接続させる接続制御手段と、
前記接続制御手段により接続されたサーバ装置に、前記可搬型記録媒体に記録された前記コンテンツ送信手段により送信されるコンテンツに対する視聴制限に関する視聴制限情報を送信する視聴制限情報送信手段と、
前記接続制御手段により接続されたサーバ装置に、コンテンツの送信要求を行う送信要求手段と、を備え、
前記サーバ装置は、
前記接続情報を記憶する記憶手段と、
前記記憶手段に記憶された接続情報を、装着された可搬型記録媒体に記録する記録制御手段と、
前記視聴制限情報送信手段により送信された視聴制限情報に基づいて、前記送信要求手段により送信要求されたコンテンツが視聴制限されているコンテンツであるか否かを判断する判断手段と、を備え、
前記コンテンツ送信手段は、前記判断手段により前記送信要求手段により送信要求されたコンテンツが視聴制限されているコンテンツでないと判断された場合に、当該コンテンツを送信することを特徴とするクライアント・サーバシステム。
【請求項２】
コンテンツを送信するコンテンツ送信手段を有するサーバ装置と、当該サーバ装置と無線ネットワークを介して接続され、前記コンテンツ送信手段により送信されたコンテンツを受信するコンテンツ受信手段と、前記コンテンツ受信手段により受信されたコンテンツを出力手段に出力させる出力制御手段と、を有するクライアント端末装置と、を備えるクライアント・サーバシステムにおいて、
前記サーバ装置は、
前記クライアント端末装置が、当該サーバ装置と前記無線ネットワークを介して接続するための接続情報を記憶する記憶手段と、
前記記憶手段に記憶された接続情報を、装着された可搬型記録媒体に記録する記録制御手段と、を備え、
前記クライアント端末装置は、
前記記録制御手段により接続情報が記録された可搬型記録媒体が装着された場合にのみ、当該可搬型記録媒体に記録された接続情報に基づいて、当該クライアント端末装置を、前記サーバ装置と前記無線ネットワークを介して接続させる接続制御手段を備えることを特徴とするクライアント・サーバシステム。
【請求項３】
請求項２に記載のクライアント・サーバシステムにおいて、
前記可搬型記録媒体には、前記コンテンツ送信手段により送信されるコンテンツに対する視聴制限に関する視聴制限情報が記録されており、
前記クライアント端末装置は、
前記接続制御手段により接続されたサーバ装置に、前記可搬型記録媒体に記録された視聴制限情報を送信する視聴制限情報送信手段と、
前記接続制御手段により接続されたサーバ装置に、コンテンツの送信要求を行う送信要求手段と、を備え、
前記サーバ装置は、
前記視聴制限情報送信手段により送信された視聴制限情報に基づいて、前記送信要求手段により送信要求されたコンテンツが視聴制限されているコンテンツであるか否かを判断する判断手段を備え、
前記コンテンツ送信手段は、前記判断手段により前記送信要求手段により送信要求されたコンテンツが視聴制限されているコンテンツでないと判断された場合に、当該コンテンツを送信することを特徴とするクライアント・サーバシステム。
【請求項４】
請求項２に記載のクライアント・サーバシステムにおいて、
前記可搬型記録媒体には、前記コンテンツ送信手段により送信されるコンテンツに対する視聴制限に関する視聴制限情報が記録されており、
前記クライアント端末装置は、
前記可搬型記録媒体に記録された視聴制限情報に基づいて、前記コンテンツ送信手段により送信されたコンテンツが視聴制限されているコンテンツであるか否かを判断する判断手段を備え、
前記出力制御手段は、前記判断手段により前記コンテンツ送信手段により送信されたコンテンツが視聴制限されているコンテンツでないと判断された場合に、当該コンテンツを前記出力手段に出力させることを特徴とするクライアント・サーバシステム。
【発明の詳細な説明】
【技術分野】
【０００１】
本発明は、クライアント・サーバシステムに関する。
【背景技術】
【０００２】
従来、サーバ装置と、当該サーバ装置と無線ＬＡＮ（Local Area Network）などの無線ネットワークを介して接続して通信するクライアント端末装置と、を備えたクライアント・サーバシステムが知られている。クライアント・サーバシステムのサーバ装置及びクライアント端末装置には、例えば、無線ネットワークを識別するための識別子（ＳＳＩＤ（Service Set IDentifier）など）や通信データを暗号化・復号化するための暗号鍵を含む接続情報が設定されており、クライアント端末装置は、当該クライアント端末装置に設定された接続情報がサーバ装置に設定された接続情報と一致する場合にのみ、当該サーバ装置と接続することができるようになっている。このような接続情報によって、例えば、第１の宅内と、当該第１の宅内に近接する第２の宅内とに、同一のクライアント・サーバシステムが設置されている場合でも、第１の宅内に設置されたクライアント端末装置は、第１の宅内に設置されたサーバ装置には接続し、第２の宅内に設置されたサーバ装置には接続しないように設定（グループ化、ペアリング）されることとなる。
【０００３】
クライアント端末装置に接続情報を設定する方法として、例えば、ユーザが所定の入力装置を操作してクライアント端末装置に接続情報を入力する方法、所定の装置から無線ＬＡＮ通信や赤外線通信などによってクライアント端末装置に接続情報を送信する方法などがある。しかしながら、接続情報を入力する方法は、ユーザにとって煩わしいという問題がある。また、接続情報を送信する方法は、接続情報が漏洩しやすいという問題がある。
【０００４】
そこで、クライアント端末装置に、接続情報が記録された可搬型記録媒体（メモリカードなど）を装着し、当該可搬型記録媒体から接続情報を読み出させて設定させる方法（例えば、特許文献１〜４参照）などが提案された。
【特許文献１】特開２００５−１９１９８９号公報
【特許文献２】特開２００５−１８４３１４号公報
【特許文献３】特開２００４−９６１４６号公報
【特許文献４】特開２００２−２８１０４０号公報
【発明の開示】
【発明が解決しようとする課題】
【０００５】
しかしながら、特許文献１〜４に記載の方法によれば、クライアント端末装置に、例えば、第１の接続情報が設定されると、当該第１の接続情報が変更されない限り、当該クライアント端末装置は、常に、当該第１の接続情報が設定されたサーバ装置と接続可能となるため、セキュリティ上問題がある。
【０００６】
本発明の課題は、サーバ装置と、より高いセキュリティを確保した方式で当該サーバ装置と接続することができるクライアント端末装置と、を備えるクライアント・サーバシステムを提供することにある。
【課題を解決するための手段】
【０００７】
上記課題を解決するために、請求項１に記載の発明は、コンテンツを送信するコンテンツ送信手段を有するサーバ装置と、当該サーバ装置と無線ネットワークを介して接続され、前記コンテンツ送信手段により送信されたコンテンツを受信するコンテンツ受信手段と、前記コンテンツ受信手段により受信されたコンテンツを出力手段に出力させる出力制御手段と、を有するクライアント端末装置と、を備えるクライアント・サーバシステムにおいて、前記クライアント端末装置は、当該クライアント端末装置が、前記サーバ装置と前記無線ネットワークを介して接続するための接続情報が記録された可搬型記録媒体が装着された場合にのみ、当該可搬型記録媒体に記録された接続情報に基づいて、当該クライアント端末装置を、前記サーバ装置と前記無線ネットワークを介して接続させる接続制御手段と、前記接続制御手段により接続されたサーバ装置に、前記可搬型記録媒体に記録された前記コンテンツ送信手段により送信されるコンテンツに対する視聴制限に関する視聴制限情報を送信する視聴制限情報送信手段と、前記接続制御手段により接続されたサーバ装置に、コンテンツの送信要求を行う送信要求手段と、を備え、前記サーバ装置は、前記接続情報を記憶する記憶手段と、前記記憶手段に記憶された接続情報を、装着された可搬型記録媒体に記録する記録制御手段と、前記視聴制限情報送信手段により送信された視聴制限情報に基づいて、前記送信要求手段により送信要求されたコンテンツが視聴制限されているコンテンツであるか否かを判断する判断手段と、を備え、前記コンテンツ送信手段は、前記判断手段により前記送信要求手段により送信要求されたコンテンツが視聴制限されているコンテンツでないと判断された場合に、当該コンテンツを送信することを特徴とする。
【０００８】
請求項２に記載の発明は、コンテンツを送信するコンテンツ送信手段を有するサーバ装置と、当該サーバ装置と無線ネットワークを介して接続され、前記コンテンツ送信手段により送信されたコンテンツを受信するコンテンツ受信手段と、前記コンテンツ受信手段により受信されたコンテンツを出力手段に出力させる出力制御手段と、を有するクライアント端末装置と、を備えるクライアント・サーバシステムにおいて、前記サーバ装置は、前記クライアント端末装置が、当該サーバ装置と前記無線ネットワークを介して接続するための接続情報を記憶する記憶手段と、前記記憶手段に記憶された接続情報を、装着された可搬型記録媒体に記録する記録制御手段と、を備え、前記クライアント端末装置は、前記記録制御手段により接続情報が記録された可搬型記録媒体が装着された場合にのみ、当該可搬型記録媒体に記録された接続情報に基づいて、当該クライアント端末装置を、前記サーバ装置と前記無線ネットワークを介して接続させる接続制御手段を備えることを特徴とする。
【０００９】
請求項３に記載の発明は、請求項２に記載のクライアント・サーバシステムにおいて、前記可搬型記録媒体には、前記コンテンツ送信手段により送信されるコンテンツに対する視聴制限に関する視聴制限情報が記録されており、前記クライアント端末装置は、前記接続制御手段により接続されたサーバ装置に、前記可搬型記録媒体に記録された視聴制限情報を送信する視聴制限情報送信手段と、前記接続制御手段により接続されたサーバ装置に、コンテンツの送信要求を行う送信要求手段と、を備え、前記サーバ装置は、前記視聴制限情報送信手段により送信された視聴制限情報に基づいて、前記送信要求手段により送信要求されたコンテンツが視聴制限されているコンテンツであるか否かを判断する判断手段を備え、前記コンテンツ送信手段は、前記判断手段により前記送信要求手段により送信要求されたコンテンツが視聴制限されているコンテンツでないと判断された場合に、当該コンテンツを送信することを特徴とする。
【００１０】
請求項４に記載の発明は、請求項２に記載のクライアント・サーバシステムにおいて、前記可搬型記録媒体には、前記コンテンツ送信手段により送信されるコンテンツに対する視聴制限に関する視聴制限情報が記録されており、前記クライアント端末装置は、前記可搬型記録媒体に記録された視聴制限情報に基づいて、前記コンテンツ送信手段により送信されたコンテンツが視聴制限されているコンテンツであるか否かを判断する判断手段を備え、前記出力制御手段は、前記判断手段により前記コンテンツ送信手段により送信されたコンテンツが視聴制限されているコンテンツでないと判断された場合に、当該コンテンツを前記出力手段に出力させることを特徴とする。
【発明の効果】
【００１１】
請求項１に記載の発明によれば、クライアント端末装置が備える接続制御手段によって、当該クライアント端末装置が、サーバ装置と無線ネットワークを介して接続するための接続情報が記録された可搬型記録媒体が装着された場合にのみ、当該可搬型記録媒体に記録された接続情報に基づいて、当該クライアント端末装置を、サーバ装置と無線ネットワークを介して接続させることができ、サーバ装置が備える記憶手段によって、接続情報を記憶することができ、サーバ装置が備える記録制御手段によって、記憶手段に記憶された接続情報を、装着された可搬型記録媒体に記録することができる。
すなわち、接続情報が記録された可搬型記録媒体が装着されている場合にだけ、クライアント端末装置はサーバ装置と接続することができ、接続情報が記録された可搬型記録媒体が装着されていない場合には、クライアント端末装置はサーバ装置と接続することができないため、より高いセキュリティを確保した方式でサーバ装置と接続することができる。
【００１２】
また、クライアント端末装置が備える視聴制限情報送信手段によって、接続制御手段により接続されたサーバ装置に、可搬型記録媒体に記録されたサーバ装置が備えるコンテンツ送信手段により送信されるコンテンツに対する視聴制限に関する視聴制限情報を送信することができ、クライアント端末装置が備える送信要求手段によって、接続制御手段により接続されたサーバ装置に、コンテンツの送信要求を行うことができ、サーバ装置が備える判断手段によって、視聴制限情報送信手段により送信された視聴制限情報に基づいて、送信要求手段により送信要求されたコンテンツが視聴制限されているコンテンツであるか否かを判断することができ、そして、サーバ装置が備えるコンテンツ送信手段は、判断手段により送信要求手段により送信要求されたコンテンツが視聴制限されているコンテンツでないと判断された場合に、当該コンテンツを送信することができる。
すなわち、サーバ装置は視聴制限されているコンテンツを送信しないため、視聴制限されているコンテンツ（例えば、教育上好ましくないシーンが多いコンテンツなど）が出力されなくなって、ユーザにとって好都合である。
【００１３】
請求項２に記載の発明によれば、サーバ装置が備える記憶手段によって、クライアント端末装置が、当該サーバ装置と無線ネットワークを介して接続するための接続情報を記憶することができ、サーバ装置が備える記録制御手段によって、記憶手段に記憶された接続情報を、装着された可搬型記録媒体に記録することができ、クライアント端末装置が備える接続制御手段によって、記録制御手段により接続情報が記録された可搬型記録媒体が装着された場合にのみ、当該可搬型記録媒体に記録された接続情報に基づいて、当該クライアント端末装置を、サーバ装置と無線ネットワークを介して接続させることができる。
すなわち、接続情報が記録された可搬型記録媒体が装着されている場合にだけ、クライアント端末装置はサーバ装置と接続することができ、接続情報が記録された可搬型記録媒体が装着されていない場合には、クライアント端末装置はサーバ装置と接続することができないため、より高いセキュリティを確保した方式でサーバ装置と接続することができる。
【００１４】
請求項３に記載の発明によれば、請求項２に記載の発明と同様の効果が得られることは無論のこと、可搬型記録媒体には、サーバ装置が備えるコンテンツ送信手段により送信されるコンテンツに対する視聴制限に関する視聴制限情報が記録されており、クライアント端末装置が備える視聴制限情報送信手段によって、接続制御手段により接続されたサーバ装置に、可搬型記録媒体に記録された視聴制限情報を送信することができ、クライアント端末装置が備える送信要求手段によって、接続制御手段により接続されたサーバ装置に、コンテンツの送信要求を行うことができ、サーバ装置が備える判断手段によって、視聴制限情報送信手段により送信された視聴制限情報に基づいて、送信要求手段により送信要求されたコンテンツが視聴制限されているコンテンツであるか否かを判断することができ、そして、サーバ装置が備えるコンテンツ送信手段は、判断手段により送信要求手段により送信要求されたコンテンツが視聴制限されているコンテンツでないと判断された場合に、当該コンテンツを送信することができる。
すなわち、サーバ装置は視聴制限されているコンテンツを送信しないため、視聴制限されているコンテンツ（例えば、教育上好ましくないシーンが多いコンテンツなど）が出力されなくなって、ユーザにとって好都合である。
【００１５】
請求項４に記載の発明によれば、請求項２に記載の発明と同様の効果が得られることは無論のこと、可搬型記録媒体には、サーバ装置が備えるコンテンツ送信手段により送信されるコンテンツに対する視聴制限に関する視聴制限情報が記録されており、クライアント端末装置が備える判断手段によって、可搬型記録媒体に記録された視聴制限情報に基づいて、コンテンツ送信手段により送信されたコンテンツが視聴制限されているコンテンツであるか否かを判断することができ、そして、クライアント端末装置が備える出力制御手段は、判断手段によりコンテンツ送信手段により送信されたコンテンツが視聴制限されているコンテンツでないと判断された場合に、当該コンテンツを出力手段に出力させることができる。
すなわち、クライアント端末装置は視聴制限されているコンテンツ（例えば、教育上好ましくないシーンが多いコンテンツなど）を出力しないため、ユーザにとって好都合である。
【発明を実施するための最良の形態】
【００１６】
以下、図を参照して、本発明にかかるクライアント・サーバシステムの最良の形態を詳細に説明する。なお、発明の範囲は、図示例に限定されない。
【００１７】
[第１の実施の形態]
まず、第１の実施の形態におけるクライアント・サーバシステム１について説明する。
【００１８】
＜クライアント・サーバシステムの構成＞
まず、クライアント・サーバシステム１の構成について、図１を参照して説明する。
【００１９】
クライアント・サーバシステム１は、サーバ装置１１と、サーバ装置１１と無線ネットワークＮを介して接続された場合に所定の通信データを送受信するクライアント端末装置１３と、を備えて構成される。
【００２０】
無線ネットワークＮは、例えば、例えば、IEEE（Institute of Electrical and Electronic Engineers）802.11規格などに準じた無線ＬＡＮ（Local Area Network）などのネットワークである。
具体的には、無線ネットワークＮを介して、サーバ装置１１からクライアント端末装置１３に、例えば、コンテンツなどの通信データが送信される。
また、無線ネットワークＮを介して、クライアント端末装置１３からサーバ装置１１に、例えば、サーバ装置１１により送信されるコンテンツに対する視聴制限に関する視聴制限情報としての視聴制限レベルなどの通信データが送信される。
ここで、視聴制限レベルは、例えば、「レベル１」〜「レベル８」で表現される。
具体的には、例えば、視聴制限レベルが「レベル１」の場合は、コンテンツレベル（後述）が「レベル１」のコンテンツの視聴が可能であり、コンテンツレベルが「レベル２」〜「レベル８」のコンテンツの視聴が制限される。
また、例えば、視聴制限レベルが「レベル５」の場合は、コンテンツレベルが「レベル１」〜「レベル５」のコンテンツの視聴が可能であり、コンテンツレベルが「レベル６」〜「レベル８」のコンテンツの視聴が制限される。
また、例えば、視聴制限レベルが「レベル８」の場合は、コンテンツレベルが「レベル１」〜「レベル８」のコンテンツの視聴が可能である。
【００２１】
また、クライアント・サーバシステム１に備えられるサーバ装置１１とクライアント端末装置１３とは、可搬型記録媒体としてのメモリカードＭによって所定のデータをやり取りすることができるようになっている。
【００２２】
メモリカードＭは、例えば、カード型の半導体メモリである。
具体的には、メモリカードＭには、例えば、サーバ装置１１において接続情報１１４３ａ１などのデータが記録され、クライアント端末装置１３において当該記録された接続情報１１４３ａ１などのデータが読み出される。
ここで、接続情報１１４３ａ１とは、例えば、無線ネットワークＮを識別するための識別子と、通信データなどを暗号化・復号化するための暗号鍵と、などを含む情報である。
また、メモリカードＭには、例えば、視聴制限レベルなどのデータが予め記録されており、クライアント端末装置１３において当該記録された視聴制限レベルなどのデータが読み出される。
【００２３】
（サーバ装置の構成）
サーバ装置１１は、例えば、図１に示すように、コンテンツ生成部１１１と、エンコーダ１１２と、通信部１１３と、制御部１１４と、リーダ／ライタ部１１５と、などを備えて構成される。各部は、バス１１Ｂによって接続されている。
また、サーバ装置１１の外面には、メモリカードＭを挿入するための挿入口（図示省略）が設けられている。当該挿入口からメモリカードＭが挿入されることによって、メモリカードＭがサーバ装置１１に装着される。
【００２４】
コンテンツ生成部１１１は、例えば、テレビジョン装置、ビデオレコーダ、ＰＶＲ（Personal Video Recorder）、ＢＳ（Broadcasting Satellite）放送やＣＳ（Communication Satellite）放送のチューナ、ＳＴＢ（Set Top Box）、ＤＶＤ（Digital Versatile Disk）プレイヤー、オーディオ装置などの、コンテンツを生成することができる好適な任意の機器である。
具体的には、コンテンツ生成部１１１は、例えば、制御部１１４からの指示に従って、コンテンツを生成する。
ここで、コンテンツ生成部１１１から生成されるコンテンツには、映像データや音声データなどが含まれると共に、当該コンテンツに対して所定の基準（例えば、視聴者の年齢など）に基づいて定められたコンテンツレベルが付与されている。
ここで、コンテンツレベルは、メモリカードＭに記録された視聴制限レベルと同様、例えば、「レベル１」〜「レベル８」で表現される。
例えば、数字が大きいコンテンツレベルが付与されたコンテンツほど、暴力シーンなどの教育上好ましくないシーンを含む。
【００２５】
エンコーダ１１２は、例えば、制御部１１４からの指示に従って、コンテンツ生成部１１１により生成されたコンテンツを、エンコードして、通信部１１３に出力する。
具体的には、エンコーダ１１２は、例えば、コンテンツを、圧縮すると共に、制御部１１４のＲＯＭ１１４３（後述）が有するデータ記憶領域１１４３ａ（後述）に記憶される接続情報１１４３ａ１に含まれる暗号鍵に基づいて暗号化する。
また、エンコーダ１１２は、例えば、制御部１１４からの指示に従って、コンテンツ生成部１１１により生成されたコンテンツに付与されたコンテンツレベルを、当該コンテンツから分離抽出して、制御部１１４に出力する。
【００２６】
通信部１１３は、無線ネットワークＮを介して、クライアント端末装置１３との間で所定の通信データの送受信を行う。具体的には、通信部１１３は、クライアント端末装置１３との間で無線信号の送受信を行うためのアンテナ１１３ａやＲＦ（Radio Frequency）変換器（図示省略）、Bluetooth規格やIEEE802.11規格に準じた無線ＬＡＮに接続するための無線ＬＡＮカード（図示省略）などを備えている。
具体的には、通信部１１３及びアンテナ１１３ａは、例えば、制御部１１４から指示に従って、コンテンツ送信手段として、コンテンツ生成部１１１により生成され、エンコーダ１１２によりエンコードされたコンテンツを、クライアント端末装置１３に送信する。
より具体的には、通信部１１３及びアンテナ１１３ａは、例えば、判断プログラム１１４３ｂ２を実行したＣＰＵ１１４１（後述）によりクライアント端末装置１３の送信要求プログラム１３６３ｂ２を実行したＣＰＵ１３６１（後述）により送信要求されたコンテンツが視聴制限されているコンテンツでないと判断された場合に、当該コンテンツを、制御部１１４のＲＯＭ１１４３（後述）が有するデータ記憶領域１１４３ａ（後述）に記憶される接続情報１１４３ａ１に含まれる識別子によって識別される無線ネットワークＮを介して、コンテンツを、クライアント端末装置１３に送信する。
また、アンテナ１１３ａ及び通信部１１３は、例えば、クライアント端末装置１３により送信された視聴制限レベルを受信する。
【００２７】
制御部１１４は、例えば、図１に示すように、ＣＰＵ（Central Processing Unit）１１４１、ＲＡＭ（Random Access Memory）１１４２、ＲＯＭ（Read Only Memory）１１４３などを備えている。
【００２８】
ＣＰＵ１１４１は、ＲＯＭ１１４３に記憶されたサーバ装置１１用の各種処理プログラムに従って各種の制御動作を行う。
【００２９】
ＲＡＭ１１４２は、ＣＰＵ１１４１によって実行される処理プログラムなどを展開するためのプログラム格納領域や、入力データや上記処理プログラムが実行される際に生じる処理結果などを格納するデータ格納領域などを備える。
また、ＲＡＭ１１４２には、例えば、クライアント端末装置１３により送信され、アンテナ１１３ａ及び通信部１１３により受信された視聴制限レベルが記憶される。
【００３０】
ＲＯＭ１１４３は、サーバ装置１１で実行可能なシステムプログラム、当該システムプログラムで実行可能な各種処理プログラム、これら各種処理プログラムを実行する際に使用されるデータ、ＣＰＵ１１４１によって演算処理された処理結果のデータなどを記憶する。なお、プログラムは、コンピュータが読み取り可能なプログラムコードの形でＲＯＭ１１４３に記憶されている。
具体的には、ＲＯＭ１１４３は、例えば、図１に示すように、データ記憶領域１１４３ａと、プログラム記憶領域１１４３ｂと、などを有している。
【００３１】
データ記憶領域１１４３ａは、例えば、記憶手段として、クライアント端末装置１３が、サーバ装置１１と無線ネットワークＮを介して接続するための接続情報１１４３ａ１などを記憶する。
【００３２】
プログラム記憶領域１１４３ｂは、例えば、記録制御プログラム１１４３ｂ１と、判断プログラム１１４３ｂ２と、などを記憶している。
【００３３】
記録制御プログラム１１４３ｂ１は、例えば、ＲＯＭ１１４３が有するデータ記憶領域１１４３ａに記憶された接続情報１１４３ａ１を、リーダ／ライタ部１１５（後述）を介して、サーバ装置１１に装着されたメモリカードＭに記録する機能を、ＣＰＵ１１４１に実現させる。
ＣＰＵ１１４１は、かかる記録制御プログラム１１４３ｂ１を実行することによって、記録制御手段として機能する。
【００３４】
判断プログラム１１４３ｂ２は、例えば、クライアント端末装置１３の通信部１３１（後述）及びアンテナ１３１ａ（後述）により送信された視聴制限レベルに基づいて、クライアント端末装置１３の送信要求プログラム１３６３ｂ２を実行したＣＰＵ１３６１（後述）により送信要求されたコンテンツが視聴制限されているコンテンツであるか否かを判断する機能を、ＣＰＵ１１４１に実現させる。
具体的には、ＣＰＵ１１４１は、クライアント端末装置１３により送信され、ＲＡＭ１１４２に記憶された視聴制限レベルと、コンテンツ生成部１１１により生成されたコンテンツに付与され、エンコーダ１１２により分離抽出されたコンテンツレベルとを比較して、コンテンツ生成部１１１により生成されたコンテンツが視聴制限されているコンテンツであるか否かを判断する。
より具体的には、ＣＰＵ１１４１は、コンテンツレベルが、視聴制限レベルを上回る場合は、当該コンテンツレベルが付与されたコンテンツは視聴制限されているコンテンツであると判断し、コンテンツレベルが、視聴制限レベル以下の場合は、当該コンテンツレベルが付与されたコンテンツは視聴制限されているコンテンツでないと判断する。
ＣＰＵ１１４１は、かかる判断プログラム１１４３ｂ２を実行することによって、判断手段として機能する。
【００３５】
リーダ／ライタ部１１５は、例えば、制御部１１４からの指示に従って、サーバ装置１１に装着されたメモリカードＭに記録された所定のデータを読み出したり、装着されたメモリカードＭに所定のデータを記録する。
具体的には、リーダ／ライタ部１１５は、例えば、記録制御プログラム１１４３ｂ１を実行したＣＰＵ１１４１からの指示に従って、ＲＯＭ１１４３が有するデータ記憶領域１１４３ａに記憶された接続情報１１４３ａ１を、サーバ装置１１に装着されたメモリカードＭに記録する。
【００３６】
（クライアント端末装置の構成）
クライアント端末装置１３は、例えば、図１に示すように、通信部１３１と、デコーダ１３２と、リーダ／ライタ部１３４と、リモコン受信部１３５と、制御部１３６と、などを備えて構成される。各部は、バス１３Ｂによって接続されている。
また、クライアント端末装置１３は、デコーダ１３２に接続された出力手段としての出力部１３３を備えている。
また、クライアント端末装置１３は、リモコン受信部１３５と通信可能なクライアント端末装置１３用のリモコン１３５１を備えている。
また、クライアント端末装置１３の外面には、メモリカードＭを挿入するための挿入口（図示省略）が設けられている。当該挿入口からメモリカードＭが挿入されることによって、メモリカードＭがクライアント端末装置１３に装着される。
【００３７】
通信部１３１は、無線ネットワークＮを介して、サーバ装置１１との間で所定の通信データの送受信を行う。具体的には、通信部１３１は、サーバ装置１１との間で無線信号の送受信を行うためのアンテナ１３１ａやＲＦ（Radio Frequency）変換器（図示省略）、Bluetooth規格やIEEE802.11規格に準じた無線ＬＡＮに接続するための無線ＬＡＮカード（図示省略）などを備えている。
具体的には、アンテナ１３１ａ及び通信部１３１は、例えば、コンテンツ受信手段として、サーバ装置１１の通信部１１３及びアンテナ１１３ａにより送信されたコンテンツを受信して、デコーダ１３２に出力する。
また、通信部１３１及びアンテナ１３１ａは、例えば、制御部１３６からの指示に従って、視聴制限情報送信手段として、接続制御プログラム１３６３ｂ１を実行したＣＰＵ１３６１（後述）により接続されたサーバ装置１１に、メモリカードＭに記録された視聴制限レベルを送信する。
【００３８】
デコーダ１３２は、例えば、制御部１３６（具体的には、出力制御プログラム１３６３ｂ３を実行したＣＰＵ１３６１（後述））からの指示に従って、アンテナ１３１ａ及び通信部１３１により受信されたコンテンツを、デコードして、出力部１３３に出力する。
具体的には、デコーダ１３２は、例えば、コンテンツを、復元すると共に、リーダ／ライタ部１３４（後述）により読み出されたメモリカードＭに記録された接続情報１１４３ａ１に含まれる暗号鍵に基づいて復号化する。
【００３９】
出力部１３３は、例えば、図１に示すように、映像表示部１３３１と、音声出力部１３３２と、などを備えている。
映像表示部１３３１は、例えば、図示しない液晶方式などの表示画面を備え、デコーダ１３２から出力されたコンテンツのうちの映像データに基づいて映像の出力を行う。
音声出力部１３３２は、例えば、図示しないスピーカなどを備え、デコーダ１３２から出力されたコンテンツのうちの音声データに基づいて音声の出力を行う。
【００４０】
リーダ／ライタ部１３４は、例えば、制御部１３６からの指示に従って、クライアント端末装置１３に装着されたメモリカードＭに記録された所定のデータを読み出したり、装着されたメモリカードＭに所定のデータを記録したりする。
具体的には、リーダ／ライタ部１３４は、クライアント端末装置１３に装着されたメモリカードＭから、予め記録された視聴制限レベルやサーバ装置１１のリーダ／ライタ部１１５により記録された接続情報１１４３ａ１などを、読み出して、制御部１３６に出力する。
【００４１】
リモコン受信部１３５は、例えば、リモコン１３５１から送信された各種信号を受信し、当該各種信号に基づく各種情報を制御部１３６に出力する。
リモコン１３５１は、例えば、ユーザにより操作され、当該操作に伴う信号をリモコン受信部１３５に送信する。
【００４２】
制御部１３６は、図１に示すように、ＣＰＵ１３６１、ＲＡＭ１３６２、ＲＯＭ１３６３などを備えている。
【００４３】
ＣＰＵ１３６１は、ＲＯＭ１３６３に記憶されたクライアント端末装置１３用の各種処理プログラムに従って各種の制御動作を行う。
【００４４】
ＲＡＭ１３６２は、ＣＰＵ１３６１によって実行される処理プログラムなどを展開するためのプログラム格納領域や、入力データや上記処理プログラムが実行される際に生じる処理結果などを格納するデータ格納領域などを備える。
【００４５】
ＲＯＭ１３６３は、クライアント端末装置１３で実行可能なシステムプログラム、当該システムプログラムで実行可能な各種処理プログラム、これら各種処理プログラムを実行する際に使用されるデータ、ＣＰＵ１３６１によって演算処理された処理結果のデータなどを記憶する。なお、プログラムは、コンピュータが読み取り可能なプログラムコードの形でＲＯＭ１３６３に記憶されている。
具体的には、ＲＯＭ１３６３は、例えば、図１に示すように、接続制御プログラム１３６３ｂ１と、送信要求プログラム１３６３ｂ２と、出力制御プログラム１３６３ｂ３と、などを記憶するプログラム記憶領域１３６３ｂなどを有している。
【００４６】
接続制御プログラム１３６３ｂ１は、例えば、サーバ装置１１の記録制御プログラム１１４３ｂ１を実行したＣＰＵ１１４１により接続情報１１４３ａ１が記録されたメモリカードＭがクライアント端末装置１３に装着された場合にのみ、メモリカードＭに記録された接続情報１１４３ａ１に基づいて、クライアント端末装置１３を、サーバ装置１１と無線ネットワークＮを介して接続させる機能を、ＣＰＵ１３６１に実現させる。
具体的には、ＣＰＵ１３６１は、リーダ／ライタ部１３４を介してクライアント端末装置１３に装着されたメモリカードＭに記録された接続情報１１４３ａ１を読み出し、クライアント端末装置１３を、当該読み出した接続情報１１４３ａ１に含まれる識別子によって識別される無線ネットワークＮに接続されるサーバ装置１１と接続させる。
ＣＰＵ１３６１は、かかる接続制御プログラム１３６３ｂ１を実行することによって、接続制御手段として機能する。
【００４７】
送信要求プログラム１３６３ｂ２は、例えば、接続制御プログラム１３６３ｂ１を実行したＣＰＵ１３６１により接続されたサーバ装置１１に、コンテンツの送信要求を行う機能を、ＣＰＵ１３６１に実現させる。
具体的には、例えば、ユーザによるリモコン１３５１の操作によって、出力部１３３にコンテンツを出力するよう指示されると、ＣＰＵ１３６１は、コンテンツの送信要求を行う。
ＣＰＵ１３６１は、かかる送信要求プログラム１３６３ｂ２を実行することによって、送信要求手段として機能する。
【００４８】
出力制御プログラム１３６３ｂ３は、例えば、アンテナ１３１ａ及び通信部１３１により受信され、デコーダ１３２によりデコードされたコンテンツを出力部１３３に出力させる機能を、ＣＰＵ１３６１に実現させる。
ＣＰＵ１３６１は、かかる出力制御プログラム１３６３ｂ３を実行することによって、出力制御手段として機能する。
【００４９】
＜クライアント・サーバシステムによる処理＞
次に、クライアント・サーバシステム１による処理について説明する。
【００５０】
（視聴制限レベル記憶処理）
まず、クライアント・サーバシステム１によるサーバ装置１１の視聴制限レベルの記憶に関する処理について、図２のフローチャートを参照して説明する。
【００５１】
まず、サーバ装置１１のＣＰＵ１１４１は、サーバ装置１１にメモリカードＭが装着されているか否かを判断する（ステップＳ１０１）。
【００５２】
ステップＳ１０１で、サーバ装置１１にメモリカードＭが装着されていないと判断すると（ステップＳ１０１；Ｎｏ）、ＣＰＵ１１４１は、ステップＳ１０１の処理を繰り返して行う。
【００５３】
一方、ステップＳ１０１で、サーバ装置１１にメモリカードＭが装着されていると判断すると（ステップＳ１０１；Ｙｅｓ）、ＣＰＵ１１４１は、記録制御プログラム１１４３ｂ１を実行して、リーダ／ライタ部１１５を介して、ＲＯＭ１１４３が有するデータ記憶領域１１４３ａに記憶された接続情報１１４３ａ１を、当該装着されているメモリカードＭに記録する（ステップＳ１０２）。
【００５４】
クライアント端末装置１３のＣＰＵ１３６１は、クライアント端末装置１３にメモリカードＭが装着されているか否かを判断する（ステップＳ１０３）。
【００５５】
ステップＳ１０３で、クライアント端末装置１３にメモリカードＭが装着されていないと判断すると（ステップＳ１０３；Ｎｏ）、ＣＰＵ１３６１は、ステップＳ１０３の処理を繰り返して行う。
【００５６】
一方、ステップＳ１０３で、クライアント端末装置１３にメモリカードＭが装着されていると判断すると（ステップＳ１０３；Ｙｅｓ）、ＣＰＵ１３６１は、接続制御プログラム１３６３ｂ１を実行して、リーダ／ライタ部１３４を介して、当該装着されているメモリカードＭに記録された接続情報１１４３ａ１を読み出し、当該読み出した接続情報１１４３ａ１に基づいて、クライアント端末装置１３を、サーバ装置１１と無線ネットワークＮを介して接続させる（ステップＳ１０４）。
【００５７】
次いで、ＣＰＵ１３６１は、通信部１３１及びアンテナ１３１ａを介して、ステップＳ１０４で接続されたサーバ装置１１に、クライアント端末装置１３に装着されているメモリカードＭに記録された視聴制限レベルを送信し（ステップＳ１０５）、後述するコンテンツ出力処理（図３）に移行して、本処理を終了する。
【００５８】
サーバ装置１１のＣＰＵ１１４１は、アンテナ１１３ａ及び通信部１１３が、ステップＳ１０５で送信された視聴制限レベルを受信すると（ステップＳ１０６）、当該受信した視聴制限レベルをＲＡＭ１１４２に記憶させ（ステップＳ１０７）、本処理を終了する。
【００５９】
（コンテンツ出力処理）
次に、クライアント・サーバシステム１によるクライアント端末装置１３のコンテンツの出力に関する処理について、図３のフローチャートを参照して説明する。
【００６０】
まず、クライアント端末装置１３のＣＰＵ１３６１は、送信要求プログラム１３６３ｂ２を実行して、ユーザによるリモコン１３５１の操作によって、出力部１３３にコンテンツを出力するよう指示されたか否かを判断する（ステップＳ１２１）。
【００６１】
ステップＳ１２１で、コンテンツを出力するよう指示されていないと判断すると（ステップＳ１２１；Ｎｏ）、ＣＰＵ１３６１は、ステップＳ１２１の処理を繰り返して行う。
【００６２】
一方、ステップＳ１２１で、コンテンツを出力するよう指示されたと判断すると（ステップＳ１２１；Ｙｅｓ）、ＣＰＵ１３６１は、クライアント端末装置１３にメモリカードＭが装着されているか否かを判断する（ステップＳ１２２）。
【００６３】
ステップＳ１２２で、クライアント端末装置１３にメモリカードＭが装着されていないと判断すると（ステップＳ１２２；Ｎｏ）、ＣＰＵ１３６１は、本処理を終了する。
【００６４】
一方、ステップＳ１２２で、クライアント端末装置１３にメモリカードＭが装着されていると判断すると（ステップＳ１２２；Ｙｅｓ）、ＣＰＵ１３６１は、接続制御プログラム１３６３ｂ１を実行して、当該装着されているメモリカードＭに記録された接続情報１１４３ａ１に基づいて、クライアント端末装置１３を、サーバ装置１１と無線ネットワークＮを介して接続させる（ステップＳ１２３）。
【００６５】
次いで、ＣＰＵ１３６１は、送信要求プログラム１３６３ｂ２を実行して、通信部１３１及びアンテナ１３１ａを介して、ステップＳ１２３で接続されたサーバ装置１１に、ステップＳ１２１でされた指示に従って、コンテンツの送信要求を送信する（ステップＳ１２４）。
【００６６】
サーバ装置１１のＣＰＵ１１４１は、アンテナ１１３ａ及び通信部１１３が、ステップＳ１２４で送信されたコンテンツの送信要求を受信すると（ステップＳ１２５）、判断プログラム１１４３ｂ２を実行して、コンテンツ生成部１１１により生成されたコンテンツに付与されたコンテンツレベルと、視聴制限レベル記憶処理（図２）のステップＳ１０７でＲＡＭ１１４２に記憶させた視聴制限レベルとを比較して、当該コンテンツレベルが、当該視聴制限レベル以下であるか否かを判断する（ステップＳ１２６）。
具体的には、ＲＡＭ１１４２に記憶された視聴制限レベルが「レベル５」の場合、コンテンツレベルが「レベル１」〜「レベル５」であるか否かを判断する。
【００６７】
ステップＳ１２６で、コンテンツレベルが、視聴制限レベル以下でないと判断すると（ステップＳ１２６；Ｎｏ）、すなわち、コンテンツ生成部１１１により生成されたコンテンツが視聴制限されているコンテンツであると判断すると、ＣＰＵ１１４１は、ステップＳ１２６の処理を繰り返して行う。
【００６８】
一方、ステップＳ１２６で、コンテンツレベルが、視聴制限レベル以下であると判断すると（ステップＳ１２６；Ｙｅｓ）、すなわち、コンテンツ生成部１１１により生成されたコンテンツが視聴制限されているコンテンツでないと判断すると、ＣＰＵ１１４１は、当該コンテンツを、通信部１１３及びアンテナ１１３ａを介して、クライアント端末装置１３に送信して（ステップＳ１２７）、ステップＳ１２６以降の処理を繰り返して行う。
なお、ステップＳ１２７で送信されるコンテンツは、エンコーダ１１２により、圧縮されると共に、サーバ装置１１のＲＯＭ１１４３が有するデータ記憶領域１１４３ａに記憶された接続情報１１４３ａ１に含まれる暗号鍵に基づいて暗号化されている。
【００６９】
クライアント端末装置１３のＣＰＵ１３６１は、アンテナ１３１ａ及び通信部１３１が、サーバ装置１１からコンテンツを受信したか否かを判断する（ステップＳ１２８）。
【００７０】
ステップＳ１２８で、コンテンツを受信していないと判断すると（ステップＳ１２８；Ｎｏ）、ＣＰＵ１３６１は、ステップＳ１２８の処理を繰り返して行う。
【００７１】
一方、ステップＳ１２８で、コンテンツを受信したと判断すると（ステップＳ１２８；Ｙｅｓ）、ＣＰＵ１３６１は、クライアント端末装置１３にメモリカードＭが装着されているか否かを判断する（ステップＳ１２９）。
【００７２】
ステップＳ１２９で、クライアント端末装置１３にメモリカードＭが装着されていないと判断すると（ステップＳ１２９；Ｎｏ）、ＣＰＵ１３６１は、本処理を終了する。
【００７３】
一方、ステップＳ１２９で、クライアント端末装置１３にメモリカードＭが装着されていると判断すると（ステップＳ１２９；Ｙｅｓ）、ＣＰＵ１３６１は、出力制御プログラム１３６３ｂ３を実行して、デコーダ１３２に指示を出して、ステップＳ１２８で受信されたコンテンツを、出力部１３３に出力させ（ステップＳ１３０）、ステップＳ１２８以降の処理を繰り返して行う。
なお、ステップＳ１３０で送信されるコンテンツは、デコーダ１３２により、復元されると共に、クライアント端末装置１３に装着されているメモリカードＭに記録された接続情報１１４３ａ１に含まれる暗号鍵に基づいて暗号化されている。
【００７４】
以上説明した第１の実施の形態におけるクライアント・サーバシステム１によれば、クライアント端末装置１３が備える接続制御プログラム１３６３ｂ１を実行したＣＰＵ１３６１によって、クライアント端末装置１３が、サーバ装置１１と無線ネットワークＮを介して接続するための接続情報１１４３ａ１が記録されたメモリカードＭが装着された場合にのみ、メモリカードＭに記録された接続情報１１４３ａ１に基づいて、クライアント端末装置１３を、サーバ装置１１と無線ネットワークＮを介して接続させることができ、サーバ装置１１が備えるＲＯＭ１１４３が有するデータ記憶領域１１４３ａによって、接続情報１１４３ａ１を記憶することができ、サーバ装置１１が備える記録制御プログラム１１４３ｂ１を実行したＣＰ１１４１によって、ＲＯＭ１１４３が有するデータ記憶領域１１４３ａに記憶された接続情報１１４３ａ１を、装着されたメモリカードＭに記録することができる。
すなわち、接続情報１１４３ａ１が記録されたメモリカードＭが装着されている場合にだけ、クライアント端末装置１３はサーバ装置１１と接続することができ、接続情報１１４３ａ１が記録されたメモリカードＭが装着されていない場合には、クライアント端末装置１３はサーバ装置１１と接続することができないため、クライアント端末装置１３は、より高いセキュリティを確保した方式でサーバ装置１１と接続することができる。
【００７５】
また、クライアント端末装置１３が備える通信部１３１及びアンテナ１３１ａによって、接続制御プログラム１３６３ｂ１を実行したＣＰＵ１３６１により接続されたサーバ装置１１に、メモリカードＭに記録されたサーバ装置１１が備える通信部１１３及びアンテナ１１３ａにより送信されるコンテンツに対する視聴制限に関する視聴制限レベルを送信することができ、クライアント端末装置１３が備える送信要求プログラム１３６３ｂ２を実行したＣＰＵ１３６１によって、接続制御プログラム１３６３ｂ１を実行したＣＰＵ１３６１により接続されたサーバ装置１１に、コンテンツの送信要求を行うことができ、サーバ装置１１が備える判断プログラム１１４３ｂ２を実行したＣＰＵ１１４１によって、クライアント端末装置１３の通信部１３１及びアンテナ１３１ａにより送信された視聴制限レベルに基づいて、送信要求プログラム１３６３ａ２を実行したＣＰＵ１３６１により送信要求されたコンテンツが視聴制限されているコンテンツであるか否かを判断することができ、そして、サーバ装置１１が備える通信部１１３及びアンテナ１１３ａは、判断プログラム１１４３ｂ２を実行したＣＰＵ１１４１により送信要求プログラム１３６３ｂ２を実行したＣＰＵ１３６１により送信要求されたコンテンツが視聴制限されているコンテンツでないと判断された場合に、当該コンテンツを送信することができる。
すなわち、サーバ装置１１は、視聴制限されているコンテンツを送信しないため、視聴制限されているコンテンツ（例えば、教育上好ましくないシーンが多いコンテンツなど）が出力されなくなって、ユーザにとって好都合である。
【００７６】
[第２の実施の形態]
次に、第２の実施の形態におけるクライアント・サーバシステム２について説明する。
【００７７】
＜クライアント・サーバシステムの構成＞
まず、クライアント・サーバシステム２の構成について、図４を参照して説明する。
なお、第２の実施の形態のクライアント・サーバシステム２は、視聴制限されているコンテンツであるか否かを判断する段階のみが第１の実施の形態のクライアント・サーバシステム１（図１）と異なる。具体的には、サーバ装置１１（図１）における、エンコーダ１１２の構成の一部、通信部１１３の構成の一部、制御部１１４の構成の一部が異なる。また、クライアント端末装置１３（図１）における、通信部１３１の構成の一部、デコーダ１３２の構成の一部、制御部１３６の構成の一部が異なる。したがって、異なる箇所のみについて説明し、その他の共通する部分は同一符号を付して説明する。
【００７８】
クライアント・サーバシステム２は、サーバ装置２１と、サーバ装置２１と無線ネットワークＮを介して接続された場合に所定の通信データを送受信するクライアント端末装置２３と、を備えて構成される。
具体的には、無線ネットワークＮを介して、サーバ装置２１からクライアント端末装置２３に、例えば、コンテンツなどの通信データが送信される。
【００７９】
また、クライアント・サーバシステム２に備えられるサーバ装置２１とクライアント端末装置２３とは、メモリカードＭによって所定のデータをやり取りすることができるようになっている。
具体的には、メモリカードＭには、例えば、サーバ装置２１において接続情報１１４３ａ１などのデータが記録され、クライアント端末装置２３において当該記録された接続情報１１４３ａ１などのデータが読み出される。
また、メモリカードＭには、例えば、視聴制限レベルなどのデータが予め記録されており、クライアント端末装置２３において当該記録された視聴制限レベルなどのデータが読み出される。
【００８０】
（サーバ装置の構成）
サーバ装置２１は、例えば、図４に示すように、コンテンツ生成部１１１と、エンコーダ２１２と、通信部２１３と、制御部２１４と、リーダ／ライタ部１１５と、などを備えて構成される。各部は、バス２１Ｂによって接続されている。
また、サーバ装置２１の外面には、メモリカードＭを挿入するための挿入口（図示省略）が設けられている。当該挿入口からメモリカードＭが挿入されることによって、メモリカードＭがサーバ装置２１に装着される。
【００８１】
エンコーダ２１２は、例えば、制御部２１４からの指示に従って、コンテンツ生成部１１１により生成されたコンテンツを、エンコードして、通信部２１３に出力する。
具体的には、エンコーダ２１２は、例えば、コンテンツ（コンテンツレベルが付与されたコンテンツ）を、圧縮すると共に、制御部２１４のＲＯＭ２１４３（後述）が有するデータ記憶領域１１４３ａに記憶される接続情報１１４３ａ１に含まれる暗号鍵に基づいて暗号化する。
【００８２】
通信部２１３は、無線ネットワークＮを介して、クライアント端末装置２３との間で所定の通信データの送受信を行う。具体的には、通信部２１３は、クライアント端末装置２３との間で無線信号の送受信を行うためのアンテナ２１３ａやＲＦ（Radio Frequency）変換器（図示省略）、Bluetooth規格やIEEE802.11規格に準じた無線ＬＡＮに接続するための無線ＬＡＮカード（図示省略）などを備えている。
具体的には、通信部２１３及びアンテナ２１３ａは、例えば、制御部２１４から指示に従って、コンテンツ送信手段として、コンテンツ生成部１１１により生成され、エンコーダ２１２によりエンコードされたコンテンツ（コンテンツレベルが付与されたコンテンツ）を、クライアント端末装置２３に送信する。
より具体的には、通信部２１３及びアンテナ２１３ａは、例えば、制御部２１４のＲＯＭ２１４３（後述）が有するデータ記憶領域１１４３ａに記憶される接続情報１１４３ａ１に含まれる識別子によって識別される無線ネットワークＮを介して、コンテンツ（コンテンツレベルが付与されたコンテンツ）を、クライアント端末装置２３に送信する。
【００８３】
制御部２１４は、例えば、図４に示すように、ＣＰＵ１１４１、ＲＡＭ１１４２、ＲＯＭ２１４３などを備えている。
【００８４】
ＲＯＭ２１４３は、サーバ装置２１で実行可能なシステムプログラム、当該システムプログラムで実行可能な各種処理プログラム、これら各種処理プログラムを実行する際に使用されるデータ、ＣＰＵ１１４１によって演算処理された処理結果のデータなどを記憶する。なお、プログラムは、コンピュータが読み取り可能なプログラムコードの形でＲＯＭ２１４３に記憶されている。
具体的には、ＲＯＭ２１４３は、例えば、図１に示すように、接続情報１１４３ａ１などを記憶するデータ記憶領域１１４３ａと、記録制御プログラム１１４３ｂ１などを記憶するプログラム記憶領域２１４３ｂと、などを有している。
【００８５】
（クライアント端末装置の構成）
クライアント端末装置２３は、例えば、図４に示すように、通信部２３１と、デコーダ２３２と、リーダ／ライタ部１３４と、リモコン受信部１３５と、制御部２３６と、などを備えて構成される。各部は、バス２３Ｂによって接続されている。
また、クライアント端末装置２３は、デコーダ２３２に接続された出力部１３３を備えている。
また、クライアント端末装置２３は、リモコン受信部１３５と通信可能なクライアント端末装置２３用のリモコン２３５１を備えている。
また、クライアント端末装置２３の外面には、メモリカードＭを挿入するための挿入口（図示省略）が設けられている。当該挿入口からメモリカードＭが挿入されることによって、メモリカードＭがクライアント端末装置２３に装着される。
【００８６】
通信部２３１は、無線ネットワークＮを介して、サーバ装置２１との間で所定の通信データの送受信を行う。具体的には、通信部２３１は、サーバ装置２１との間で無線信号の送受信を行うためのアンテナ２３１ａやＲＦ（Radio Frequency）変換器（図示省略）、Bluetooth規格やIEEE802.11規格に準じた無線ＬＡＮに接続するための無線ＬＡＮカード（図示省略）などを備えている。
具体的には、アンテナ２３１ａ及び通信部２３１は、例えば、コンテンツ受信手段として、サーバ装置２１の通信部２１３及びアンテナ２１３ａにより送信されたコンテンツ（コンテンツレベルが付与されたコンテンツ）を受信して、デコーダ２３２に出力する。
【００８７】
デコーダ２３２は、例えば、制御部２３６（具体的には、出力制御プログラム２３６３ｂ３を実行したＣＰＵ１３６１）からの指示に従って、アンテナ２３１ａ及び通信部２３１により受信されたコンテンツを、デコードして、出力部１３３に出力する。
具体的には、デコーダ２３２は、例えば、コンテンツ（コンテンツレベルが付与されたコンテンツ）を、復元すると共に、リーダ／ライタ部１３４により読み出されたメモリカードＭに記録された接続情報１１４３ａ１に含まれる暗号鍵に基づいて復号化する。そして、デコーダ２３２は、例えば、コンテンツに付与されたコンテンツレベルを、当該コンテンツから分離抽出して制御部２１４に出力すると共に、当該コンテンツを、出力部１３３に出力する。
【００８８】
制御部２３６は、図２に示すように、ＣＰＵ１３６１、ＲＡＭ１３６２、ＲＯＭ２３６３などを備えている。
【００８９】
ＲＯＭ２３６３は、クライアント端末装置２３で実行可能なシステムプログラム、当該システムプログラムで実行可能な各種処理プログラム、これら各種処理プログラムを実行する際に使用されるデータ、ＣＰＵ１３６１によって演算処理された処理結果のデータなどを記憶する。なお、プログラムは、コンピュータが読み取り可能なプログラムコードの形でＲＯＭ２３６３に記憶されている。
具体的には、ＲＯＭ２３６３は、例えば、図４に示すように、接続制御プログラム１３６３ｂ１と、送信要求プログラム１３６３ｂ２と、出力制御プログラム２３６３ｂ３と、判断プログラム２３６３ｂ４と、などを記憶するプログラム記憶領域２３６３ｂなどを有している。
【００９０】
出力制御プログラム２３６３ｂ３は、例えば、アンテナ２３１ａ及び通信部２３１により受信され、デコーダ２３２によりデコードされたコンテンツを出力部１３３に出力させる機能を、ＣＰＵ１３６１に実現させる。
具体的には、ＣＰＵ１３６１は、判断プログラム２３６３ａ４を実行したＣＰＵ１３６１（後述）によりサーバ装置２１の通信部２１３及びアンテナ２３１ａにより送信されたコンテンツが視聴制限されているコンテンツでないと判断された場合に、当該コンテンツを出力部１３３に出力させる。
ＣＰＵ１３６１は、かかる出力制御プログラム２３６３ｂ３を実行することによって、出力制御手段として機能する。
【００９１】
判断プログラム２３６３ｂ４は、例えば、メモリカードＭに記録された視聴制限レベルに基づいて、サーバ装置２１の通信部２１３及びアンテナ２１３ａにより送信されたコンテンツが視聴制限されているコンテンツであるか否かを判断する機能を、ＣＰＵ１３６１に実現させる。
ＣＰＵ１３６１は、かかる判断プログラム２３６３ｂ４を実行することによって、判断手段として機能する。
【００９２】
＜クライアント・サーバシステムによるコンテンツ出力処理＞
次に、クライアント・サーバシステム２によるクライアント端末装置２３のコンテンツの出力に関する処理について、図５のフローチャートを参照して説明する。
【００９３】
まず、サーバ装置２１のＣＰＵ１１４１は、サーバ装置２１にメモリカードＭが装着されているか否かを判断する（ステップＳ２０１）。
【００９４】
ステップＳ２０１で、サーバ装置２１にメモリカードＭが装着されていないと判断すると（ステップＳ２０１；Ｎｏ）、ＣＰＵ１１４１は、ステップＳ２０１の処理を繰り返して行う。
【００９５】
一方、ステップＳ２０１で、サーバ装置２１にメモリカードＭが装着されていると判断すると（ステップＳ２０１；Ｙｅｓ）、ＣＰＵ１１４１は、記録制御プログラム１１４３ｂ１を実行して、リーダ／ライタ部１１５を介して、ＲＯＭ２１４３が有するデータ記憶領域１１４３ａに記憶された接続情報１１４３ａ１を、当該装着されているメモリカードＭに記録する（ステップＳ２０２）。
【００９６】
クライアント端末装置２３のＣＰＵ１３６１は、送信要求プログラム１３６３ｂ２を実行して、ユーザによるリモコン２３５１の操作によって、出力部１３３にコンテンツを出力するよう指示されたか否かを判断する（ステップＳ２０３）。
【００９７】
ステップＳ２０３で、コンテンツを出力するよう指示されていないと判断すると（ステップＳ２０３；Ｎｏ）、ＣＰＵ１３６１は、ステップＳ２０３の処理を繰り返して行う。
【００９８】
一方、ステップＳ２０３で、コンテンツを出力するよう指示されたと判断すると（ステップＳ２０３；Ｙｅｓ）、ＣＰＵ１３６１は、クライアント端末装置２３にメモリカードＭが装着されているか否かを判断する（ステップＳ２０４）。
【００９９】
ステップＳ２０４で、クライアント端末装置２３にメモリカードＭが装着されていないと判断すると（ステップＳ２０４；Ｎｏ）、ＣＰＵ１３６１は、本処理を終了する。
【０１００】
一方、ステップＳ２０４で、クライアント端末装置２３にメモリカードＭが装着されていると判断すると（ステップＳ２０４；Ｙｅｓ）、ＣＰＵ１３６１は、接続制御プログラム１３６３ｂ１を実行して、当該装着されているメモリカードＭに記録された接続情報１１４３ａ１に基づいて、クライアント端末装置２３を、サーバ装置２１と無線ネットワークＮを介して接続させる（ステップＳ２０５）。
【０１０１】
次いで、ＣＰＵ１３６１は、送信要求プログラム１３６３ｂ２を実行して、通信部２３１及びアンテナ２３１ａを介して、ステップＳ２０５で接続されたサーバ装置２１に、ステップＳ２０３でされた指示に従って、コンテンツの送信要求を送信する（ステップＳ２０６）。
【０１０２】
サーバ装置２１のＣＰＵ１１４１は、アンテナ２１３ａ及び通信部２１３が、ステップＳ２０６で送信されたコンテンツの送信要求を受信すると（ステップＳ２０７）、コンテンツ生成部１１１により生成されたコンテンツ（コンテンツレベルが付与されたコンテンツ）を、通信部２１３及びアンテナ２１３ａを介して、クライアント端末装置２３に送信して（ステップＳ２０８）、ステップＳ２０８の処理を繰り返して行う。
なお、ステップＳ２０８で送信されるコンテンツ（コンテンツレベルが付与されたコンテンツ）は、エンコーダ２１２により、圧縮されると共に、サーバ装置２１のＲＯＭ２１４３が有するデータ記憶領域１１４３ａに記憶された接続情報１１４３ａ１に含まれる暗号鍵に基づいて暗号化されている。
【０１０３】
クライアント端末装置２３のＣＰＵ１３６１は、アンテナ２３１ａ及び通信部２３１が、サーバ装置２１からコンテンツを受信したか否かを判断する（ステップＳ２０９）。
【０１０４】
ステップＳ２０９で、コンテンツを受信していないと判断すると（ステップＳ２０９；Ｎｏ）、ＣＰＵ１３６１は、ステップＳ２０９の処理を繰り返して行う。
【０１０５】
一方、ステップＳ２０９で、コンテンツを受信したと判断すると（ステップＳ２０９；Ｙｅｓ）、ＣＰＵ１３６１は、クライアント端末装置２３にメモリカードＭが装着されているか否かを判断する（ステップＳ２１０）。
【０１０６】
ステップＳ２１０で、クライアント端末装置２３にメモリカードＭが装着されていないと判断すると（ステップＳ２０９；Ｎｏ）、ＣＰＵ１３６１は、本処理を終了する。
【０１０７】
一方、ステップＳ２１０で、クライアント端末装置２３にメモリカードＭが装着されていると判断すると（ステップＳ２０９；Ｙｅｓ）、判断プログラム２３６３ｂ４を実行して、ステップＳ２０９で受信されたコンテンツ（コンテンツレベルが付与されたコンテンツ）に付与されたコンテンツレベルと、クライアント端末装置２３に装着されているメモリカードＭに記録された視聴制限レベルとを比較して、当該コンテンツレベルが、当該視聴制限レベル以下であるか否かを判断する（ステップＳ２１１）。
【０１０８】
ステップＳ２１１で、コンテンツレベルが、視聴制限レベル以下でないと判断すると（ステップＳ２１１；Ｎｏ）、すなわち、サーバ装置２１により送信されたコンテンツが視聴制限されているコンテンツであると判断すると、ＣＰＵ１３６１は、ステップＳ２０９以降の処理を繰り返して行う。
【０１０９】
一方、ステップＳ２１１で、コンテンツレベルが、視聴制限レベル以下であると判断すると（ステップＳ２１１；Ｙｅｓ）、すなわち、サーバ装置２１により送信されたコンテンツが視聴制限されているコンテンツでないと判断すると、ＣＰＵ１３６１は、出力制御プログラム２３６３ｂ３を実行して、デコーダ１３２に指示を出して、ステップＳ２０９で受信されたコンテンツを、出力部１３３に出力させ（ステップＳ２１２）、ステップＳ２０９以降の処理を繰り返して行う。
なお、ステップＳ２１２で出力されるコンテンツは、デコーダ２３２により、復元されると共に、クライアント端末装置２３に装着されたメモリカードＭに記録された接続情報１１４３ａ１に含まれる暗号鍵に基づいて暗号化されている。
【０１１０】
以上説明した第２の実施の形態におけるクライアント・サーバシステム２によれば、クライアント端末装置２３が備える判断プログラム２３６３ｂ４を実行したＣＰＵ１３６１によって、メモリカードＭに記録された視聴制限レベルに基づいて、サーバ装置２１の通信部２１３及びアンテナ２１３ａにより送信されたコンテンツが視聴制限されているコンテンツであるか否かを判断することができ、そして、クライアント端末装置２３が備える出力制御プログラム２３６３ｂ３を実行したＣＰＵ１３６１は、判断プログラム２３６３ｂ４を実行したＣＰＵ１３６１によりサーバ装置２１の通信部２１３及びアンテナ２１３ａにより送信されたコンテンツが視聴制限されているコンテンツでないと判断された場合に、当該コンテンツを出力部１３３に出力させることができる。
すなわち、クライアント端末装置２３は視聴制限されているコンテンツ（例えば、教育上好ましくないシーンが多いコンテンツなど）を出力しないため、ユーザにとって好都合である。
【０１１１】
なお、本発明は、上記した実施の形態のものに限るものではなく、その要旨を逸脱しない範囲で適宜変更可能である。
第１の実施の形態においては、一つのサーバ装置１１に対して、一つのクライアント端末装置１３を接続するようにしたが、この限りでなく、一つのサーバ装置１１に対して、複数のクライアント端末装置１３を接続することができるようにしてもよい。この場合、視聴制限レベルは、当該視聴制限レベルを送信してきたクライアント端末装置１３を識別することができる状態で、サーバ装置１１の制御部１１４のＲＡＭ１１４２に記憶される必要がある。
第２の実施の形態においても同様に、一つのサーバ装置２１に対して、複数のクライアント端末装置２３を接続することができるようにしてもよい。
【０１１２】
第１の実施の形態においては、サーバ装置１１にコンテンツ生成部１１１を備えるようにしたが、すなわち、サーバ装置１１とコンテンツ生成部１１１とを一体としたが、サーバ装置１１とコンテンツ生成部１１１とは別体であってもよい。また、同様に、クライアント端末装置１３と出力部１３３とは別体であってもよい。
第２の実施の形態においても同様である。
【０１１３】
第１の実施の形態においては、メモリカードＭには、接続情報と視聴制限レベルとが記録されているが、例えば、接続情報と視聴制限レベルとに加えてコンテンツが記録されていてもよい。この場合、クライアント端末装置１３は、サーバ装置１１から送信されたコンテンツだけでなく、メモリカードＭに記録されたコンテンツも出力可能とする必要がある。
第２の実施の形態においても同様である。
【０１１４】
第１の実施の形態においては、可搬型記録媒体をメモリカードＭとしたが、可搬型記録媒体は、少なくとも接続情報を記録することができるものであれば任意である。
第２の実施の形態においても同様である。
【図面の簡単な説明】
【０１１５】
【図１】第１の実施の形態におけるクライアント・サーバシステムの機能的構成を示すブロック図である。
【図２】第１の実施の形態におけるクライアント・サーバシステムによるサーバ装置の視聴制限レベルの記憶に関する処理を説明するためのフローチャートである。
【図３】第１の実施の形態におけるクライアント・サーバシステムによるクライアント端末装置のコンテンツの出力に関する処理を説明するためのフローチャートである。
【図４】第２の実施の形態におけるクライアント・サーバシステムの機能的構成を示すブロック図である。
【図５】第１の実施の形態におけるクライアント・サーバシステムによるクライアント端末装置のコンテンツの出力に関する処理を説明するためのフローチャートである。
【符号の説明】
【０１１６】
１，２  クライアント・サーバシステム
１１，１２  サーバ装置
１１３，２１３  通信部（コンテンツ送信手段）
１１３ａ，２１３ａ  アンテナ（コンテンツ送信手段）
１１４１  ＣＰＵ（記録制御手段、判断手段）
１１４３ａ  データ記憶領域（記憶手段）
１１４３ａ１  接続情報
１１４３ｂ１  記録制御プログラム（記録制御手段）
１１４３ｂ２  判断プログラム（判断手段）
１３，２３  クライアント端末装置
１３１，２３１  通信部（コンテンツ受信手段、視聴制限情報送信手段）
１３１ａ，２３１ａ  アンテナ（コンテンツ受信手段、視聴制限情報送信手段）
１３３  出力部（出力手段）
１３６１  ＣＰＵ（接続制御手段、送信要求手段、出力制御手段、判断手段）
１３６３ｂ１  接続制御プログラム（接続制御手段）
１３６３ｂ２  送信要求プログラム（送信要求手段）
１３６３ｂ３，２３６３ｂ３  出力制御プログラム（出力制御手段）
２３６３ｂ４  判断プログラム（判断手段）
Ｍ  メモリカード（可搬型記録媒体）
Ｎ  無線ネットワーク
【図１】
2007133661.tif 000003
【図２】
2007133661.tif 000004
【図３】
2007133661.tif 000005
【図４】
2007133661.tif 000006
【図５】
2007133661.tif 000007